(57)【要約】【課題】配達物と輸送機関との対応付けを行うことができる配達物登録システム、無線リーダ及び登録方法を提供することである。【解決手段】実施形態の配達物登録システムは、無線リーダと、収集装置とを備える。前記無線リーダは、取得部と、送信部と、を備える。取得部は、配達物の輸送に用いられ前記配達物を収容する収容具を識別するための識別情報と前記収容具に収容される配達物を識別するための識別情報とを取得する。取得された前記収容具の識別情報と前記配達物の識別情報とを前記収集装置に送信する。前記収集装置は、受信部と、記憶部と、を備える。受信部は、前記無線リーダから送信された前記収容具の識別情報と前記配達物の識別情報とを受信する。記憶部は、受信された前記収容具の識別情報と前記配達物の識別情報とを対応付けて記憶する。【選択図】図１
2015117097.tif 000002
【特許請求の範囲】
【請求項１】
無線リーダと、前記無線リーダにより取得される情報を収集する収集装置とを備える配達物登録システムであって、
前記無線リーダは、
配達物の輸送に用いられ前記配達物を収容する収容具を識別するための識別情報と前記収容具に収容される配達物を識別するための識別情報とを取得する取得部と、
取得された前記収容具の識別情報と前記配達物の識別情報とを前記収集装置に送信する送信部と、
を備え、
前記収集装置は、
前記無線リーダから送信された前記収容具の識別情報と前記配達物の識別情報とを受信する受信部と、
受信された前記収容具の識別情報と前記配達物の識別情報とを対応付けて記憶する記憶部と、
を備える配達物登録システム。
【請求項２】
前記無線リーダは、前記収容具に取り付けられ、
前記取得部は、前記収容具に収容される配達物に貼付されている無線ＩＣタグから前記識別情報を取得する、請求項１に記載の配達物登録システム。
【請求項３】
複数の前記無線リーダが対向するように設置され、
前記取得部は、複数の前記無線リーダ間を通過する前記収容具に収容されている配達物に貼付されている無線ＩＣタグから前記識別情報を取得する、請求項１に記載の配達物登録システム。
【請求項４】
請求項１に記載の無線リーダとして機能する仕分け用無線リーダと登録用無線リーダとを備え、
前記仕分け用無線リーダの取得部は、コンベア上を流れる前記配達物に貼付されている伝票を読み取ることによって前記識別情報を取得し、
前記登録用無線リーダの取得部は、所定の間隔で前記収容具及び前記配達物それぞれに貼付されている伝票を読み取ることによって、前記収納ボックスの識別情報と前記配達物の識別情報とを取得する、請求項１に記載の配達物登録システム。
【請求項５】
配達物の輸送に用いられ前記配達物を収容する収容具を識別するための識別情報と前記収容具に収容される配達物を識別するための識別情報とを取得する取得部と、
取得された前記収容具の識別情報と前記配達物の識別情報とを前記収集装置に送信する送信部と、
を備える無線リーダ。
【請求項６】
無線リーダと、前記無線リーダにより取得される情報を収集する収集装置とを備える配達物登録システムにおける登録方法であって、
前記無線リーダが、
配達物の輸送に用いられ前記配達物を収容する収容具を識別するための識別情報と前記収容具に収容される配達物を識別するための識別情報とを取得する取得ステップと、
取得された前記収容具の識別情報と前記配達物の識別情報とを前記収集装置に送信する送信ステップと、
を有し、
前記収集装置が、
前記無線リーダから送信された前記収容具の識別情報と前記配達物の識別情報とを受信する受信ステップと、
受信された前記収容具の識別情報と前記配達物の識別情報とを対応付けて記憶部に記憶する記録ステップと、
を有する登録方法。
【請求項７】
配達物の輸送に用いられ前記配達物を収容する収容具を識別するための識別情報と前記収容具に収容される配達物を識別するための識別情報とを取得する取得部と、
取得された前記収容具の識別情報と前記配達物の識別情報とを対応付けて記憶する記憶部と、
を備える配達物登録システム。
【発明の詳細な説明】
【技術分野】
【０００１】
本発明の実施形態は、配達物登録システム、無線リーダ及び登録方法に関する。
【背景技術】
【０００２】
従来、配達物の輸送において、配達物を積み込むための台車としてロールボックスパレット等が利用されている。配達物が積み込まれたロールボックスパレットが輸送機関（例えば、航空機、トラック、船舶など）に積載され、輸送されている（例えば、特許文献１参照）。
【先行技術文献】
【特許文献】
【０００３】
【特許文献１】特開２０１１−２０７５９３号公報
【発明の概要】
【発明が解決しようとする課題】
【０００４】
上述したように配達物が輸送される場合、配達物の所在を把握するために配達物全件のバーコードを読み取りさせ、配達物と輸送機関とを対応付ける運用がなされている。しかしながら、繁忙期や繁忙の時間帯にはバーコードの読み取り忘れ等により配達物と輸送機関との対応付けができないため、配達物の所在を把握することができないという問題があった。
本発明が解決しようとする課題は、配達物と輸送機関との対応付けを行うことができる配達物登録システム、無線リーダ及び登録方法を提供することである。
【課題を解決するための手段】
【０００５】
実施形態の配達物登録システムは、無線リーダと、収集装置とを備える。前記無線リーダは、取得部と、送信部と、を備える。取得部は、配達物の輸送に用いられ前記配達物を収容する収容具を識別するための識別情報と前記収容具に収容される配達物を識別するための識別情報とを取得する。取得された前記収容具の識別情報と前記配達物の識別情報とを前記収集装置に送信する。前記収集装置は、受信部と、記憶部と、を備える。受信部は、前記無線リーダから送信された前記収容具の識別情報と前記配達物の識別情報とを受信する。記憶部は、受信された前記収容具の識別情報と前記配達物の識別情報とを対応付けて記憶する。
【図面の簡単な説明】
【０００６】
【図１】第１実施形態における配達物登録システム１０のシステム構成を示す図。
【図２】無線リーダ１００の機能構成を表す概略ブロック図。
【図３】データベースの具体的な構成例を示す図。
【図４】第１実施形態における無線リーダ１００の処理の流れを示すフローチャート。
【図５】第１実施形態における収集装置４００の処理の流れを示すフローチャート。
【図６】第２実施形態における配達物登録システム１０ａのシステム構成を示す図。
【図７】第２実施形態における無線リーダ１００ａの処理の流れを示すフローチャート。
【図８】第３実施形態における配達物登録システム１０ｂのシステム構成を示す図。
【図９】第３実施形態における配達物登録システム１０ｂのシステム構成を示す図。
【図１０】仕分け情報データベースの構成図。
【図１１】収容先変更の具体例を示す図。
【図１２】第３実施形態における配達物登録システム１０ｂのシーケンス図。
【発明を実施するための形態】
【０００７】
以下、本実施形態（第１実施形態、第２実施形態及び第３実施形態）について図面を参照しながら説明する。
［第１実施形態］
図１は、第１実施形態における配達物登録システム１０のシステム構成を示す図である。第１実施形態の配達物登録システム１０は、無線リーダ１００、ロールボックスパレット（収容具）２００、収集装置４００及び上位管理装置５００を備える。無線リーダ１００、ロールボックスパレット２００及び収集装置４００の各装置は、配送業者の店舗（図１では、配送店舗Ａ、配送店舗Ｂ）毎に備えられる。
【０００８】
無線リーダ１００は、配達物３００に貼付されている伝票３１０に取り付けられている無線ＩＣタグから電波を受信することによって無線ＩＣタグに記憶されている情報を取得する。無線ＩＣタグには、伝票情報が記憶されている。伝票情報とは、伝票３１０に記載されている内容がコード化された情報である。伝票情報の具体例として、例えば伝票番号及び仕分けコードなどがある。仕分けコードは、配達物３００の配送先である営業店などを一意に識別するためのコード情報を表す。また、無線リーダ１００は、図１に示されるようにロールボックスパレット２００の上部に取り付けられる。なお、無線リーダ１００が取り付けられる場所は、ロールボックスパレット２００の上部に限定される必要はなく、ロールボックスパレット２００の中部又は下部に取り付けられてもよい。
【０００９】
ロールボックスパレット２００は、配達物３００を収容し、輸送するために用いられる収容具であり、３面ないし４面の側板が取り付けられる。ロールボックスパレット２００の側板のいずれかには、無線リーダ１００及び無線ＩＣタグ２１０が取り付けられる。無線ＩＣタグ２１０には、ロールボックスパレット２００を一意に識別するための識別情報（以下、「パレット番号」という。）が記憶されている。
【００１０】
配達物３００は、配達の対象となっている貨物である。配達物３００には、無線ＩＣタグ付きの伝票３１０が貼付される。
収集装置４００は、無線リーダ１００が取得した伝票情報を収集する。また、収集装置４００は、記憶部を備え、配達物管理データベース及び積載管理データベースを記憶する。各データベースの詳細については後述する（図３）。
上位管理装置５００は、情報処理装置を用いて構成される。上位管理装置５００は、各店舗に備えられる収集装置４００から情報を受信し、配達物登録システム１０全体の情報の管理を行う。
【００１１】
図２は、無線リーダ１００の機能構成を表す概略ブロック図である。無線リーダ１００は、バスで接続されたＣＰＵ（Central Processing Unit）やメモリや補助記憶装置などを備え、無線通信プログラムを実行する。無線通信プログラムの実行によって、無線リーダ１００は、入力部１０１、取得部１０２、制御部１０３、通信部１０４を備える装置として機能する。なお、無線リーダ１００の各機能の全て又は一部は、ＡＳＩＣ（Application Specific Integrated Circuit）やＰＬＤ（Programmable Logic Device）やＦＰＧＡ（Field Programmable Gate Array）等のハードウェアを用いて実現されてもよい。また、無線通信プログラムは、コンピュータ読み取り可能な記録媒体に記録されてもよい。コンピュータ読み取り可能な記録媒体とは、例えばフレキシブルディスク、光磁気ディスク、ＲＯＭ、ＣＤ−ＲＯＭ等の可搬媒体、コンピュータシステムに内蔵されるハードディスク等の記憶装置である。また、無線通信プログラムは、電気通信回線を介して送受信されてもよい。
【００１２】
入力部１０１は、ボタン、タッチパネル等の既存の入力装置を用いて構成される。入力部１０１は、使用者（作業員）の指示を無線リーダ１００に入力する際に使用者によって操作される。例えば、入力部１０１は、無線リーダ１００の電源のオンオフの指示入力を受け付ける。
取得部１０２は、無線ＩＣタグから情報を取得する。取得部１０２は、例えば近距離無線通信により配達物３００の伝票３１０に取り付けられている無線ＩＣタグから伝票情報を取得する。また、取得部１０２は、ロールボックスパレット２００に取り付けられている無線ＩＣタグ２１０からパレット番号を取得する。
制御部１０３は、無線リーダ１００の各機能部を制御する。
通信部１０４は、収集装置４００との間で通信を行う。通信部１０４は、例えば取得部１０２によって取得された伝票情報及びパレット番号の情報を収集装置４００に送信する。
【００１３】
図３は、収集装置４００が記憶するデータベースの具体的な構成例を示す図である。
図３（Ａ）は、配達物管理データベースの構成図である。配達物管理データベースは、配達物３００に関する情報を表すレコード２０を複数有する。レコード２０は、登録順、伝票番号、仕分けコード及びパレット番号の各値を有する。登録順は、配達物管理データベースに配達物３００に関する情報が登録された順番を表す。伝票番号は、配達物３００に貼付されている伝票３１０を一意に識別するための識別情報を表す。仕分けコードは、配達物３００の配送先である営業店などを一意に識別するためのコード情報を表す。パレット番号は、配達物３００が収容されるロールボックスパレット２００を一意に識別するための識別情報を表す。
【００１４】
図３（Ａ）に示される例では、配達物管理データベースには８つの伝票情報が存在する。図３（Ａ）において、配達物管理データベースの最上段に登録されているレコード２０は、登録順の値が“１”、伝票番号の値が“２３１３−６７１８−８８１３”、仕分けコードの値が“３６−６１”、パレット番号の値が“１００２１”である。すなわち、伝票番号“２３１３−６７１８−８８１３”で識別される伝票３１０が貼付されている配達物３００の情報が配達物管理データベースに最初に登録され、当該配達物３００の配送先である営業店などを識別するためのコードが“３６−６１”であり、当該配達物３００が収容されるロールボックスパレット２００のパレット番号が“１００２１”であることが表されている。
【００１５】
なお、配達物管理データベースには、収集装置４００が無線リーダ１００から送信された伝票情報及びパレット番号の情報を受信する度に、受信した伝票情報及びパレット番号の情報が追加される。また、配達物管理データベースに既に登録されている伝票番号と同様の伝票番号を含む伝票情報が受信されると、収集装置４００は既に登録されている伝票情報及びパレット番号の情報を、新たに受信した伝票情報及びパレット番号の情報で上書きすることによって更新する。
【００１６】
図３（Ｂ）は、積載管理データベースの構成図である。積載管理データベースは、ロールボックスパレット２００に関する情報を表すレコード３０を複数有する。レコード３０は、パレット番号及び便番号の各値を有する。パレット番号は、配達物３００が収容されるロールボックスパレット２００を一意に識別するための識別情報を表す。便番号は、ロールボックスパレット２００を積載した輸送機関（乗物）を識別するための識別情報を表す。
【００１７】
図３（Ｂ）に示される例では、積載管理データベースには６つの伝票情報が存在する。図３（Ｂ）において、積載管理データベースの最上段に記録されているレコード３０は、パレット番号の値が“１００２１”であり、便番号の値が“ＪＬ９８１”である。すなわち、パレット番号“１００２１”で識別されるロールボックスパレット２００を積載した輸送機関の識別情報が“ＪＬ９８１”であることが表されている。
【００１８】
図４は、第１実施形態における無線リーダ１００の処理の流れを示すフローチャートである。なお、図４では、無線リーダ１００の電源の状態がオン状態であり、処理開始時にはロールボックスパレット２００に配達物３００が収容されていない場合について説明する。
取得部１０２は、ロールボックスパレット２００に取り付けられている無線ＩＣタグ２１０からパレット番号を取得する（ステップＳ１０１）。次に、作業員が配達物３００を無線リーダ１００に近づけると、取得部１０２は近づけられた配達物３００の伝票３１０に取り付けられている無線ＩＣタグから伝票情報を取得する（ステップＳ１０２）。制御部１０３は、取得されたパレット番号及び伝票情報を紐づけて送信するように通信部１０４を制御する。通信部１０４は、制御部１０３の制御に従ってパレット番号及び伝票情報を紐づけて収集装置４００に送信する（ステップＳ１０３）。制御部１０３は、終了の指示が入力されたか否か判定する（ステップＳ１０４）。具体的には、制御部１０３は、入力部１０１を介して電源オフの指示入力がなされたか否か判定する。終了の指示が入力された場合（ステップＳ１０４−ＹＥＳ）、無線リーダ１００は処理を終了する。一方、終了の指示が入力されていない場合（ステップＳ１０４−ＮＯ）、無線リーダ１００はステップＳ１０２以降の処理を繰り返し実行する。
【００１９】
図５は、第１実施形態における収集装置４００の処理の流れを示すフローチャートである。
収集装置４００は、無線リーダ１００から送信されたパレット番号及び伝票情報を受信する（ステップＳ２０１）。収集装置４００は、受信したパレット番号及び伝票情報を配達物管理データベースに記録する（ステップＳ２０２）。次に、収集装置４００は、配送業者の管理者の操作に応じてパレット番号ごとに配送用の輸送機関の識別情報の入力を受け付ける（ステップＳ２０３）。パレット番号ごとに配送用の輸送機関の識別情報の入力がなされると、収集装置４００は入力された配送用の輸送機関の識別情報を積載管理データベースの便番号の項目に記録する（ステップＳ２０４）。収集装置４００は、各データベース（配達物管理データベース及び積載管理データベース）の情報を上位管理装置５００に送信する（ステップＳ２０５）。
【００２０】
以上述べた第１実施形態の配達物登録システム１０によれば、配達物３００がロールボックスパレット２００に収容される際に、ロールボックスパレット２００に取り付けられた無線リーダ１００が、ロールボックスパレット２００のパレット番号と、無線ＩＣタグ付きの伝票３１０が貼付された配達物３００の伝票情報とを取得する。その後、収集装置４００にて、ロールボックスパレット２００をどの輸送機関に積載したか入力させる。そのため、配達物３００と輸送機関との対応付けを行うことが可能になる。その結果、客から配達物３００に関する問い合わせがあった場合であっても即座に応対することが可能になる。
【００２１】
＜変形例＞
本実施形態では、１つの配送店舗に１台のロールボックスパレット２００が備えられる構成を示したが、１つの配送店舗には複数台のロールボックスパレット２００が備えられるように構成されてもよい。また、配達物登録システム１０には、３つ以上の店舗が存在してもよい。
また、本実施形態では、配達物３００を輸送するために使用される収容具としてロールボックスパレット２００を例に説明したが、配達物３００を輸送するために使用される収容具として航空貨物輸送用コンテナなどが利用されてもよい。航空貨物輸送用コンテナが利用される場合、無線リーダ１００は航空貨物輸送用コンテナの開閉部分に取り付けられる。さらに、航空貨物輸送用コンテナを一意に識別するための識別情報（以下、「コンテナ番号」という。）が記憶されている無線ＩＣタグが航空貨物輸送用コンテナの開閉部分に取り付けられる。そして、取得部１０２は、近距離無線通信によりコンテナ番号を取得する。また、取得部１０２は、近づけられた配達物３００の伝票３１０に取り付けられている無線ＩＣタグから伝票情報を取得する。
図４では、取得部１０２が伝票情報を取得する度に、通信部１０４が伝票情報を収集装置４００に送信する構成を示したが、これに限定される必要はない。例えば、通信部１０４は、所定のタイミングで、取得された伝票情報を送信してもよい。所定のタイミングとは、例えば伝票情報が取得されてから所定の時間（例えば１秒、１０秒、１分など）が経過したタイミングであってもよいし、伝票情報が所定回数取得されたタイミングであってもよいし、その他のタイミングであってもよい。
【００２２】
本実施形態では、作業員が配達物３００を１個ずつ無線リーダ１００に読み取らせてロールボックスパレット２００に収容する構成を示したが、これに限定される必要はない。例えば、ロールボックスパレット２００に配達物３００を全て収容した後で、作業員が無線リーダ１００の電源の状態をオン状態にして、取得部１０２がロールボックスパレット２００に収容されている配達物３００全ての伝票情報を取得するように構成されてもよい。このように構成されることによって、ロールボックスパレット２００に収容されている配達物３００の登録作業が１回済むため、作業に要する時間を短縮することができる。
【００２３】
ロールボックスパレット２００の側板には、電波遮蔽用のシールドが設けられてもよい。このように構成されることによって、複数台のロールボックスパレット２００が互いに近い位置に存在している場合であっても、あるロールボックスパレット２００に取り付けられている無線リーダ１００が他のロールボックスパレット２００内の配達物３００の伝票情報を読み取ってしまうおそれを軽減することができる。そのため、より厳密に配達物３００の管理を行うことが可能になる。
【００２４】
［第２実施形態］
図６は、第２実施形態における配達物登録システム１０ａのシステム構成を示す図である。第２実施形態の配達物登録システム１０ａは、無線リーダ１００ａ−１、無線リーダ１００ａ−２、ロールボックスパレット２００ａ、収集装置４００ａ及び上位管理装置５００ａを備える。無線リーダ１００ａ−１、無線リーダ１００ａ−２、ロールボックスパレット２００ａ及び収集装置４００ａの各装置は、配送業者の店舗（図６では、配送店舗Ａ、配送店舗Ｂ）毎に備えられる。
【００２５】
第２実施形態における配達物登録システム１０ａでは、作業員が無線ＩＣタグ付きの伝票３１０ａ−１〜３１０ａ−４それぞれが貼付された配達物３００ａ−１〜３００ａ−４が収容されたロールボックスパレット２００ａを移動させて、対向する位置に設置された無線リーダ１００ａ−１と無線リーダ１００ａ−２との間を通過させることによって、無線リーダ１００ａ−１及び無線リーダ１００ａ−２はパレット番号及び伝票情報を取得する。
【００２６】
無線リーダ１００ａ−１及び無線リーダ１００ａ−２は、図６に示されるように支柱６００ａ−１及び支柱６００ａ−２の上部にそれぞれ設置される。支柱６００ａ−１及び支柱６００ａ−２の高さは、配送業者によって適宜設定される。支柱６００ａ−１及び支柱６００ａ−２の高さは、例えばロールボックスパレット２００ａの高さと同じ高さであってもよいし、無線リーダ１００ａ−１及び無線リーダ１００ａ−２が設置された状態における高さがロールボックスパレット２００ａの高さと同じ高さになる高さであってもよい。
【００２７】
無線リーダ１００ａ−１及び無線リーダ１００ａ−２の構成は、図２に示す無線リーダ１００の構成と同様であるため、説明を省略する。また、収集装置４００ａ及び上位管理装置５００ａの構成においても第１実施形態の収集装置４００及び上位管理装置５００の構成と同様であるため、説明を省略する。なお、以下の説明では、無線リーダ１００ａ−１及び無線リーダ１００ａ−２を特に区別しない場合には、無線リーダ１００ａと称する。また、以下の説明では、配達物３００ａ−１〜３００ａ−４を特に区別しない場合には、配達物３００ａと称する。また、以下の説明では、伝票３１０ａ−１〜３１０ａ−４を特に区別しない場合には、伝票３１０ａと称する。
【００２８】
図７は、第２実施形態における無線リーダ１００ａの処理の流れを示すフローチャートである。なお、図７では、無線リーダ１００ａの電源の状態がオン状態であり、処理開始時にはロールボックスパレット２００に配達物３００ａが収容されており、ロールボックスパレット２００が無線リーダ１００ａの情報取得可能範囲に入った場合について説明する。情報取得可能範囲とは、無線リーダ１００ａの取得部１０２ａが無線ＩＣタグから電波を取得できる範囲を表し、例えば半径数メートルの範囲である。
【００２９】
取得部１０２ａは、ロールボックスパレット２００ａに取り付けられている無線ＩＣタグ２１０ａからパレット番号を取得する（ステップＳ３０１）。次に、取得部１０２ａは、ロールボックスパレット２００ａに収容された配達物３００ａの無線ＩＣタグから伝票情報を取得する（ステップＳ３０２）。制御部１０３ａは、取得されたパレット番号及び伝票情報を紐づけて送信するように通信部１０４ａを制御する。通信部１０４ａは、制御部１０３ａの制御に従ってパレット番号及び伝票情報を紐づけて収集装置４００ａに送信する（ステップＳ３０３）。制御部１０３は、情報取得可能範囲内に存在する配達物３００ａ全ての伝票情報を取得したか否か判定する（ステップＳ３０４）。配達物３００ａ全ての伝票情報を取得した場合（ステップＳ３０４−ＹＥＳ）、無線リーダ１００ａは処理を終了する。一方、配達物３００ａ全ての伝票情報を取得されていない場合（ステップＳ１０４−ＮＯ）、無線リーダ１００ａはステップＳ１０２以降の処理を繰り返し実行する。
【００３０】
以上述べた第２実施形態の配達物登録システム１０ａによれば、配達物３００ａが収容されたロールボックスパレット２００ａを、対向する位置に設置された無線リーダ１００ａ間を通過させるだけで各無線リーダ１００ａがロールボックスパレット２００ａのパレット番号と、無線ＩＣタグ付きの伝票３１０ａが貼付された配達物３００ａの伝票情報とを取得する。その後、収集装置４００ａにて、ロールボックスパレット２００ａをどの輸送機関に積載したか入力させる。そのため、配達物３００ａと輸送機関との対応付けを行うことが可能になる。その結果、客から配達物３００ａに関する問い合わせがあった場合であっても即座に応対することが可能になる。
【００３１】
＜変形例＞
本実施形態では、１つの配送店舗に１台のロールボックスパレット２００ａが備えられる構成を示したが、１つの配送店舗には複数台のロールボックスパレット２００ａが備えられるように構成されてもよい。また、配達物登録システム１０ａには、３つ以上の店舗が存在してもよい。
また、本実施形態では、配達物３００ａを輸送するために使用される収容具としてロールボックスパレット２００ａを例に説明したが、配達物３００ａを輸送するために使用される収容具として航空貨物輸送用コンテナなどが利用されてもよい。航空貨物輸送用コンテナが利用される場合、コンテナ番号が記憶されている無線ＩＣタグが航空貨物輸送用コンテナの開閉部分に取り付けられる。そして、取得部１０２ａは、配達物３００ａが収容された航空貨物輸送用コンテナが電波取得可能範囲に入った場合にコンテナ番号を取得する。また、取得部１０２ａは、電波取得可能範囲に入った航空貨物輸送用コンテナに収容された配達物３００ａの伝票３１０ａに取り付けられている無線ＩＣタグから伝票情報を取得する。
【００３２】
図７では、取得部１０２ａが伝票情報を取得する度に、通信部１０４ａが伝票情報を収集装置４００ａに送信する構成を示したが、これに限定される必要はない。例えば、通信部１０４ａは、所定のタイミングで、取得された伝票情報を送信してもよい。所定のタイミングとは、例えば伝票情報が取得されてから所定の時間（例えば１秒、１０秒、１分など）が経過したタイミングであってもよいし、伝票情報が所定回数取得されたタイミングであってもよいし、その他のタイミングであってもよい。
【００３３】
ロールボックスパレット２００ａの側板には、電波遮蔽用のシールドが設けられてもよい。このように構成されることによって、複数台のロールボックスパレット２００ａが互いに近い位置に存在している場合であっても、あるロールボックスパレット２００ａに取り付けられている無線リーダ１００ａが他のロールボックスパレット２００ａ内の配達物３００ａの伝票情報を読み取ってしまうおそれを軽減することができる。そのため、より厳密に配達物３００ａの管理を行うことが可能になる。
【００３４】
［第３実施形態］
図８及び図９は、第３実施形態における配達物登録システム１０ｂのシステム構成を示す図である。第３実施形態の配達物登録システム１０ｂは、仕分け用無線リーダ１００ｂ−１、登録用無線リーダ１００ｂ−２、ロールボックスパレット２００ｂ、収集装置４００ｂ及び上位管理装置５００ｂを備える。仕分け用無線リーダ１００ｂ−１、登録用無線リーダ１００ｂ−２、ロールボックスパレット２００ｂ及び収集装置４００ｂの各装置は、配送業者の店舗（図８及び図９では、配送店舗Ａ、配送店舗Ｂ）毎に備えられる。
【００３５】
第３実施形態における配達物登録システム１０ｂでは、仕分け処理として仕分け用無線リーダ１００ｂ−１が搬送装置７００ｂ上を流れるバーコード付きの伝票３２０ｂ（図８の場合、伝票３２０ｂ−１〜３２０ｂ−３）が貼付された配達物３００ｂ（図８の場合、配達物３００ｂ−１〜３００ｂ−３）のバーコードから伝票情報を取得する。また、登録処理として登録用無線リーダ１００ｂ−２が作業員の操作に応じてロールボックスパレット２００ｂに貼付されているバーコード付きの伝票２１０ｂからパレット番号を取得し、さらにバーコード付きの伝票３２０ｂが貼付された配達物３００ｂのバーコードから伝票情報を取得する。その後、作業員は、所定の期間（例えば、１時間など）経過するまでロールボックスパレット２００ｂに配達物３００ｂを収容する。この際、作業員は、配達物３００ｂのバーコードを登録用無線リーダ１００ｂ−２に読み込ませない。そして、所定の期間（例えば、１時間など）経過後、登録処理が繰り返し実行される。
【００３６】
搬送装置７００ｂは、上流側から供給される配達物３００ｂ−１〜配達物３００ｂ−３を下流側（例えば、矢印８００で示す方向）に向かって搬送する。搬送装置７００ｂは、例えばベルトコンベアである。なお、以下の説明では、配達物３００ｂ−１〜配達物３００ｂ−３を特に区別しない場合には、配達物３００ｂと称する。
仕分け用無線リーダ１００ｂ−１及び登録用無線リーダ１００ｂ−２の構成は、図２に示す無線リーダ１００の構成と同様である。すなわち、仕分け用無線リーダ１００ｂ−１は、入力部１０１ｂ−１、取得部１０２ｂ−１、制御部１０３ｂ−１、通信部１０４ｂ−１を備える。また、登録用無線リーダ１００ｂ−２は、入力部１０１ｂ−２、取得部１０２ｂ−２、制御部１０３ｂ−２、通信部１０４ｂ−２を備える。
第３実施形態においては、取得部１０２ｂ−１及び取得部１０２ｂ−２は、配達物３００ｂの伝票３２０ｂに印字されているバーコードを読み取ることによって伝票情報を取得する。
【００３７】
収集装置４００ｂは、仕分け用無線リーダ１００ｂ−１及び登録用無線リーダ１００ｂ−２が取得した情報を収集する。また、収集装置４００ｂは、記憶部を備え、仕分け情報データベース及び積載管理データベースを記憶する。仕分け情報データベースの詳細については後述する（図１０）。
上位管理装置５００ｂは、情報処理装置を用いて構成される。上位管理装置５００ｂは、各店舗に備えられる収集装置４００ｂから情報を受信し、配達物登録システム１０ｂ全体の情報の管理を行う。
【００３８】
図１０は、仕分け情報データベースの構成図である。
仕分け情報データベースは、配達物３００ｂに関する情報を表すレコード４０を複数有する。レコード４０は、仕分順、伝票番号、仕分けコード、仕分日時及びパレット番号の各値を有する。仕分順は、仕分けが行われた順番を表す。伝票番号は、配達物３００ｂに貼付されている伝票３２０ｂを一意に識別するための識別情報を表す。仕分けコードは、配達物３００ｂの配送先である営業店などを一意に識別するためのコード情報を表す。仕分日時は、伝票情報が取得された日時を表す。パレット番号は、配達物３００ｂが収容されるロールボックスパレット２００ｂを一意に識別するための識別情報を表す。
【００３９】
なお、仕分け情報データベースの仕分け順、伝票番号、仕分けコード及び仕分日時の項目には、仕分け処理で仕分け用無線リーダ１００ｂ−１の取得部１０２ｂ−１が取得した伝票情報が記録される。仕分け情報データベースのパレット番号の項目には、登録処理で登録用無線リーダ１００ｂ−２の取得部１０２ｂ−２が取得したパレット番号の情報が記録される。
また、作業員が既に収容した配達物３００ｂを別のロールボックスパレット２００ｂに移動させる場合には、以下のような処理が行なわれる。まず、作業員は、移動対象の配達物３００ｂのバーコード付き伝票３２０ｂのバーコードを登録用無線リーダ１００ｂ−２に読み込ませる。次に、作業員は、移動先のロールボックスパレット２００ｂに貼付されているバーコード付きの伝票２１０ｂのバーコードを登録用無線リーダ１００ｂ−２に読み込ませる。このような処理が行なわれることによって、移動対象の配達物３００ｂのパレット番号の値を更新する。以下、図１１を用いて具体的に説明する。
【００４０】
図１１は、収容先変更の具体例を示す図である。
図１１（Ａ）は、登録処理完了後の仕分け情報データベースを表す図である。図１１（Ａ）に示されるように、登録処理完了後の仕分け情報データベースにはパレット番号の値が記録されている。なお、図１１（Ａ）に示される仕分け情報データベースには、仕分け順“９６５”の配達物３００ｂはパレット番号“Ａ１００１”に収容されており、仕分け順“９７０”の配達物３００ｂはパレット番号“Ａ１０１２”で識別されるロールボックスパレット２００ｂに収容されていることが表されている。配送業者の管理者は、収集装置４００ｂを操作して仕分け順“９６６”から“９６９”までのレコード５０のパレット番号の項目にパレット番号“Ａ１００１”を入力する（例えば、図１１（Ｂ）参照）。
【００４１】
このような場合に、作業員が伝票番号“６５４５”で識別される配達物３００ｂを、別のロールボックスパレット２００ｂに移動させる場合、まず登録用無線リーダ１００ｂ−２の取得部１０２−２は作業員の操作に応じて移動対象の配達物３００ｂのバーコード付き伝票３２０ｂのバーコードを読み取ることによって伝票情報（例えば、伝票番号“６５４５”、仕分けコード“１−１”、仕分け日時“２０１３０７０１  １９：５５”）を取得する。次に、取得部１０２−２は、作業員の操作に応じて移動先のロールボックスパレット２００ｂに貼付されているバーコード付きの伝票２１０ｂのバーコードを読み取ることによってパレット番号“Ａ１０１２”を取得する。その後、登録用無線リーダ１００ｂ−２の通信部１０４ｂ−２は、取得された伝票情報及びパレット番号を収集装置４００ｂに送信する。
【００４２】
収集装置４００ｂは、登録用無線リーダ１００ｂ−２から送信された伝票情報及びパレット番号を受信する。収集装置４００ｂは、仕分け情報データベースを参照し、受信した伝票情報に含まれる伝票番号“６５４５”と同様の伝票番号のレコード６０を選択する。その後、収集装置４００ｂは、選択したレコード６０のパレット番号の項目の値を、“Ａ１００１”から“Ａ１０１２”に更新する。このような処理が行なわれることにより、図１１（Ｂ）に示されるように、伝票番号“６５４５”の配達物３００ｂの移動先がパレット番号“Ａ１０１２”で識別されるロールボックスパレット２００ｂに変更される。
【００４３】
図１２は、第３実施形態における配達物登録システム１０ｂのシーケンス図である。
仕分け用無線リーダ１００ｂ−１の取得部１０２ｂ−１は、搬送装置７００ｂ上を流れている配達物３００ｂのバーコードを読み取ることによって伝票情報を取得する（ステップＳ４０１）。通信部１０４ｂ−１は、取得された伝票情報を収集装置４００ｂに送信する（ステップＳ４０２）。
収集装置４００ｂは、仕分け用無線リーダ１００ｂ−１から伝票情報を取得する（ステップＳ４０３）。収集装置４００ｂは、取得した伝票情報を仕分け情報データベースに記録する（ステップＳ４０４）。その後、ステップＳ４０１からステップＳ４０４までの処理が繰り返し実行される。
【００４４】
登録用無線リーダ１００ｂ−２の取得部１０２ｂ−２は、作業員の操作に応じてロールボックスパレット２００ｂに貼付されているバーコード付きの伝票２１０ｂからパレット番号を取得する（ステップＳ４０５）。次に、取得部１０２ｂ−２は、作業員の操作に応じて仕分け済みの配達物３００ｂのバーコード付き伝票２１０ｂから伝票情報を取得する（ステップＳ４０６）。制御部１０３ｂ−２は、取得されたパレット番号及び伝票情報を紐づけて送信するように通信部１０４ｂ−２を制御する。通信部１０４ｂ−２は、制御部１０３ｂ−２の制御に従って、取得されたパレット番号及び伝票情報を収集装置４００ｂに送信する（ステップＳ４０７）。
【００４５】
収集装置４００ｂは、登録用無線リーダ１００ｂ−２から送信されたパレット番号及び伝票情報を受信する（ステップＳ４０８）。収集装置４００ｂは、仕分け情報データベースを参照し、伝票情報に含まれる伝票番号に対応するパレット番号の項目に、受信したパレット番号の値を記録する（ステップＳ４０９）。その後、作業員は、所定の時間が経過するまで配達物３００ｂをロールボックスパレット２００ｂに収容する。この際、作業員は、配達物３００ｂのバーコードを登録用無線リーダ１００ｂ−２に読み込ませない。そして、所定の時間経過後、再びステップＳ４０５からステップＳ４０９までの処理が繰り返し実行される。
収集装置４００ｂは、作業員の操作に応じてパレット番号ごとに配送用の輸送機関の識別情報（便番号）の入力を受け付ける（ステップＳ４１０）。収集装置４００ｂは、パレット番号ごとに入力された識別情報（便番号）をパレット番号に紐づけて積載管理データベースに記録する（ステップＳ４１１）。
【００４６】
以上述べた第３実施形態の配達物登録システム１０ｂによれば、無線ＩＣタグを活用しない従来のバーコード付き伝票を利用する方法であっても、配達物３００ｂの管理を行うことができる。具体的には、仕分け処理時に配達物３００ｂの伝票情報が仕分け情報データベースに記録され、登録処理時に配達物３００ｂのバーコードから伝票情報が取得される。これにより、取得された伝票情報に含まれる伝票番号のパレット番号の項目にパレット番号が対応付けて記録される。その後、作業員によって所定の期間（例えば、１時間など）、ロールボックスパレット２００ｂに配達物３００ｂが収容される。この間、ロールボックスパレット２００ｂに収容される配達物３００ｂのバーコードを登録用無線リーダ１００ｂ−２に読み込ませる作業は行われない。そして、所定の時間経過後、作業員は再びパレット番号及び配達物３００ｂのバーコードを登録用無線リーダ１００ｂ−２に読み込ませる。このような作業が繰り返し実行されることにより、ロールボックスパレット２００ｂに収容される配達物３００ｂの登録作業を削減することができる。また、収集装置４００ｂにて、ロールボックスパレット２００ｂをどの輸送機関に積載したか入力させる。そのため、配達物３００ｂと輸送機関との対応付けを行うことが可能になる。その結果、客から配達物３００ｂに関する問い合わせがあった場合であっても応対することが可能になる。
【００４７】
＜変形例＞
本実施形態では、１つの配送店舗に１台のロールボックスパレット２００ｂが備えられる構成を示したが、１つの配送店舗には複数台のロールボックスパレット２００ｂが備えられるように構成されてもよい。また、配達物登録システム１０ｂには、３つ以上の店舗が存在してもよい。
また、本実施形態では、配達物３００ｂを輸送するために使用される収容具としてロールボックスパレット２００ｂを例に説明したが、配達物３００ｂを輸送するために使用される収容具として航空貨物輸送用コンテナなどが利用されてもよい。航空貨物輸送用コンテナが利用される場合、コンテナ番号がバーコードとして印字されている伝票が航空貨物輸送用コンテナの開閉部分に取り付けられる。そして、登録用無線リーダ１００ｂ−２の取得部１０２ｂ−２は、作業員の操作に応じてコンテナ番号がバーコードとして印字されている伝票からコンテナ番号を取得する。また、取得部１０２ｂ−２は、作業員の操作に応じて配達物３００ｂの伝票３２０ｂに印字されているバーコードから伝票情報を取得する。
【００４８】
図１２では、仕分け用無線リーダ１００ｂ−１の取得部１０２ｂ−１が伝票情報を取得する度に、通信部１０４ｂ−１が伝票情報を収集装置４００ｂに送信する構成を示したが、これに限定される必要はない。例えば、通信部１０４ｂ−１は、所定のタイミングで、取得された伝票情報を送信してもよい。所定のタイミングとは、例えば伝票情報が取得されてから所定の時間（例えば１秒、１０秒、１分など）が経過したタイミングであってもよいし、伝票情報が所定回数取得されたタイミングであってもよいし、その他のタイミングであってもよい。
【００４９】
以上述べた少なくともひとつの実施形態の配達物登録システムによれば、無線リーダが配達物に貼付されている伝票から取得した伝票番号とパレット番号とが対応付けられ、収集装置にて便番号とパレット番号とが対応付けられることにより、配達物と輸送機関との対応付けを行うことが可能となる。
【００５０】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５１】
１００、１００ａ−１、１００ａ−２…無線リーダ、１００ｂ−１…仕分け用無線リーダ、１００ｂ−２…登録用無線リーダ，  ２００、２００ａ、２００ｂ…ロールボックスパレット，  ３００、３００ａ−１〜３００ａ−４、３００ｂ（３００ｂ−１〜３００ｂ−３）…配達物，  ４００、４００ａ、４００ｂ…収集装置，  ５００、５００ａ、５００ｂ…上位管理装置，  １０１…入力部，  １０２…取得部，  １０３…制御部，  １０４…通信部
【図１】
2015117097.tif 000003
【図２】
2015117097.tif 000004
【図３】
2015117097.tif 000005
【図４】
2015117097.tif 000006
【図５】
2015117097.tif 000007
【図６】
2015117097.tif 000008
【図７】
2015117097.tif 000009
【図８】
2015117097.tif 000010
【図９】
2015117097.tif 000011
【図１０】
2015117097.tif 000012
【図１１】
2015117097.tif 000013
【図１２】
2015117097.tif 000014